(57)【要約】【課題】この発明は、クリーニング業界で利用されるクリーニング用タグをハンガーの首部の背面に取付けるクリーニング用タグの首部背面取付けハンガーおよびその使用方法の提供にある。【解決手段】クリーニング用タグを取付けるタグ取付部をハンガー本体とは、別体に形成し、ハンガー本体については、首部の背面に取付面を形成すると共に、その上下に係合爪を突設し、タグ取付部は、その表面側に凹陥取付部を、裏面側に前記ハンガー本体の取付面に連接可能な連接面をそれぞれ形成すると共に、上下に前記ハンガー本体の係合爪に係合する係合部を形成し、前記凹陥取付部の対応開口縁に外止縁を形成してなるクリーニング用タグの首部背面取付けハンガー。【選択図】        図１
2004236978.tif 000002
【特許請求の範囲】
【請求項１】
クリーニング用タグを取付けるタグ取付部を首部の背面に一体に設けてなるクリーニング用タグの首部背面取付けハンガー。
【請求項２】
クリーニング用タグを取付けるタグ取付部をハンガー本体とは、別体に形成し、その後、両者を結合してなるクリーニング用タグの首部背面取付けハンガー。
【請求項３】
ハンガー本体については、首部の背面に取付面を形成すると共に、その上下に係合爪を突設し、タグ取付部は、その表面側にタグの凹陥取付部を、裏面側に前記ハンガー本体の取付面に連接可能な連接面をそれぞれ形成すると共に、上下に前記ハンガー本体の係合爪に係合する係合部を形成してなるクリーニング用タグの首部背面取付けハンガー。
【請求項４】
前記凹陥取付部の対応開口縁に外止縁を形成してなる請求項３のクリーニング用タグの首部背面取付けハンガー。
【請求項５】
タグ取付部をハンガー本体とは別体に形成すると共に別色に設け、タグ取付部を指標に洗濯衣類等のコース別、営業店別等の仕様の識別と、同じタグ取付部で、ズボンハンガー、スカートハンガー、ワイシャツ立体ハンガー、ワイシャツ立体ハーフハンガー、立体セーター用ハンガー、立体ネクタイハンガーおよびその他の立体ハンガーに共用するクリーニング用タグの首部背面取付けハンガーの使用方法。
【発明の詳細な説明】
【０００１】
【発明が属する技術分野】
この発明は、クリーニング業界で利用されるクリーニング用タグ（連番タグ、群タグ、様入りタグ等）をハンガーの首部の背面に取付けるクリーニング用タグの首部背面取付けハンガーおよびその使用方法に関するものである。
【０００２】
【従来の技術】
従来、クリーニング業界では、主として、クリーニング用タグ２として、紙製で、帯状に切り離し自在に構成され、その表面の表示内容により例えば、図４の控え部２ａ１が付いた控え付き連番タグ２ａ、図５の控え部２ｂ１が付いた控え付き群タグ２ｂ、図６の番号付き様入りタグ２ｃおよびその表示内容の変形により各種（図示ない）が同一巾に規格化されて使用されている。これらのクリーニング用タグは、二つ折されて、その両端をお客から預かった衣類の差し支えのないところに固着し、その衣類を管理するものである。
【０００３】
【発明が解決しようとする課題】
従来の項で説明したように、クリーニング業界で使用されるクリーニング用タグは、前述のように使用されるものであるから、工場で出来あがった衣類は、包装され、お店へ仕分け、お店では顧客へ探し出して渡すものであるが、その際に、クリーニング用タグが衣類内、包装内に隠れてしまい仕分け作業の能率が上がらず、多大の人手を掛けざるをえなくなっている。また、このため仕分けを誤り、誤配、紛失の原因になっている。
【０００４】
この発明は、係る仕分け作業の能率化、誤配・紛失等の事故の減少を目的になされたものである。
【０００５】
【課題を解決するための手段】
クリーニング用タグを取付けるタグ取付部を首部の背面に一体に設けてなるクリーニング用タグの首部背面取付けハンガーにある。
【０００６】
クリーニング用タグを取付けるタグ取付部をハンガー本体とは、別体に形成し、その後、両者を結合してなるクリーニング用タグの首部背面取付けハンガーとしてもよいものである。
【０００７】
ハンガー本体については、首部の背面に取付面を形成すると共に、その上下に係合爪を突設し、タグ取付部は、その表面側にタグの凹陥取付部を、裏面側に前記ハンガー本体の取付面に連接可能な連接面をそれぞれ形成すると共に、上下に前記ハンガー本体の係合爪に係合する係合部を形成してなるクリーニング用タグの首部背面取付けハンガーとしてもよいものである。
【０００８】
前記凹陥取付部の対応開口縁に外止縁を形成してなる請求項３のクリーニング用タグの首部背面取付けハンガーとしてもよいものである。
【０００９】
タグ取付部をハンガー本体とは別体に形成すると共に別色に設け、タグ取付部を指標に洗濯衣類等のコース別、営業店別等の仕様の識別と、同じタグ取付部で、ズボンハンガー、スカートハンガー、ワイシャツ立体ハンガー、ワイシャツ立体ハーフハンガー、立体セーター用ハンガー、立体ネクタイハンガーおよびその他の立体ハンガーに共用するクリーニング用タグの首部背面取付けハンガーの使用方法としてもよいものである。
【００１０】
【発明の実施の形態】
クリーニング用タグを取付けるタグ取付部をハンガー本体とは、別体に形成し、ハンガー本体については、首部の背面に取付面を形成すると共にその上下に係合爪を突設し、タグ取付部は、その表面側にクリーニング用タグの凹陥取付部を、裏面側に前記ハンガー本体の取付面に連接可能な平坦面にそれぞれ形成すると共に、上下に前記ハンガー本体の係合爪に係合する係合部を形成し、前記タグ取付部の凹陥取付部の対応開口縁に外止縁を形成してなるクリーニング用タグの首部背面取付けハンガー。
【００１１】
【実施例】
以下、この発明のクリーニング用タグの首部背面取付けハンガーを、図１〜図３に示す第１実施例により説明すると、クリーニング用タグ２を差入れて取付けるタグ取付部３を首部４の背面に一体に設けてなるものであって、合成樹脂材をスライド金型でワンショット生産するものである。
【００１２】
前記従来の項で説明したように、クリーニング用タグ２は表示内容により各種あり、図４に示す控え部２ａ１を切り離し自在に付けている控え付き連番タグ２ａは、一番多く使用されるもので、控え部２ａ１を切り離して控え台帖等に貼り付け、残りの本体片２ａ２を、例えば、二つ折し、その両端をお客から預かった衣類に固着し、その衣類を管理するものである。図５に示す控え部２ｂ１を切り離し自在に付けている控え付き群タグ２ｂは、３連であるが、他に４連、５連と多数連の実施例があり、同一お客から同時に預かる衣類等の品物が二以上ある時、番号により預かり品物を区別できるようにしたものである。図６に示す２ｃは番号付き様入りタグで、一番簡単な表示タグで、お客名を記載して識別するものである。
【００１３】
前記第１実施例では、衣類等の預り品をクリーニング（洗濯、アイロン掛け、プレス等）の作業が完了すると、その預り品等からクリーニング用タグ２を取り外してこの発明のクリーニング用タグの首部背面取付けハンガー１のタグ取付部３に押し込んで、図３に示すように取付けるものである。そして、その第１実施例のクリーニング用タグの首部背面取付けハンガー１に衣類等を掛け、フイルム袋等を掛けて全体をおおい汚れないようにして返送するものである。
【００１４】
前記控え部２ａ１付きの控え付き連番タグ２ａには、図面に示すように、店名番号２ａ３、ロット番号２ａ４および、お客番号２ａ５を表示したものでもよく、返送過程の各営業店、顧客ごとに仕分けするときに、例えば、掛け棒（図示しない）につめて緊密に掛け吊るした状態においても、第１実施例のクリーニング用タグの首部背面取付けハンガー１をずらすことなく、列の横からタグ取付部３を見ることができ、配送の段階で、どの営業店の品物か、また、店頭においてどの顧客の品物かがすぐわかるのである。
【００１５】
次に、図７〜図１１に示す第２実施例のクリーニング用タグの首部背面取付けハンガー５およびその使用方法を説明すると、この第２実施例は、クリーニング用タグ２を取付けるタグ取付部６をハンガー本体５ａとは、別個に形成し、その後に両者を結合してなるのである。
【００１６】
前記第２実施例のクリーニング用タグの首部背面取付けハンガー５の結合構造は、ハンガー本体５ａについては、首部７の背面に取付け面７ａを形成すると共にその上下に係合爪７ｂ１、７ｂ２を突設している。
【００１７】
前記タグ取付部６は、その表面側にクリーニング用タグ２の凹陥取付部６ａを、裏面側に前記ハンガー本体５ａの取付面７ａに連接可能な連接面として、例えば、平坦面６ｂをそれぞれ形成すると共に上下に前記ハンガー本体５ａの係合爪７ｂ１、７ｂ２に係合する係合部６ｂ１、６ｂ２を形成してなるものである。なお、前記タグ取付部６の凹陥取付部６ａの対応開口縁６ａ１、６ａ２に外止縁８ａ、８ｂを形成してもよいものである。
【００１８】
前記タグ取付部６とハンガー本体５ａの結合構造は、一例であって、その構造に限定させるものではない。
【００１９】
図１２に示すように、スカートハンガー９にタグ取付部１０を構成してもよいものである。また、前記タグ取付部１０は、図示しないが、市場で流通するズボンハンガー、ワイシャツ立体ハンガー、ワイシャツ立体ハーフハンガー、立体セーター用ハンガー、立体ネクタイハンガーおよびその他の立体ハンガーに実施できるものである。
【００２０】
図１３は、従来のバーコードタグハンガー１１を示すもので、バーコードタグ取付部１２を、その正面に設けている。
【００２１】
【発明の効果】
従来、クリーニング店においては、お客から預かった衣類にお客を表示するタグを一点一点と付ける。洗濯後、アイロン、プレスの後、ポリエチレン袋等に入れて包装し、その後、各業者や顧客ごと衣類に付けたタグａ確認し、仕分け作業を行うものである。これらの作業において、ポリエチレン等の包装で隠れたタグを探し、確認しているため、手間と時間がかかり、また、間違いが起こり誤配の原因ともなっていた。しかるに、この発明のタグの首部背面取付けハンガーは、前記の欠点が解消されて、仕分け作業時間の短縮（人件費の削減）と、誤配の減少（紛失が減る）を可能にした。
【００２２】
また、タグ取付部をハンガー本体と別体に形成することにより、コストはかかるが、色分けをすることができ、コース別、営業店別等の仕様もでき、また、同じバーコードタグ取付部で、ズボンハンガー、スカートハンガー、ワイシャツ立体ハンガー、ワイシャツ立体ハーフハンガー、立体セーター用ハンガー、立体ネクタイハンガーおよびその他の立体ハンガーに対応でき、前記仕分け作業時間の短縮（人件費の削減）と、誤配の減少（紛失が減る）を飛躍的に可能するものである。
【００２３】
以上から、従来、お客から預かった衣類等に固着したタグを包装段階で、ハンガーに取付けることによりその後の仕分け作業を飛躍的に簡易化し、同時に誤配等の事故の減少に寄与するものである。なお、従来のバーコードタグハンガーにも利用できることは勿論である。
【図面の簡単な説明】
【図１】この発明の第１実施例のクリーニング用タグの首部背面取付けハンガーの全体斜視図である。
【図２】図１のＡ−Ａ線に沿う断面図である。
【図３】クリーニング用タグをタグ取付部に取付けた状態を示す拡大部分斜視図である。
【図４】クリーニング用タグの一例で、控え部を切り離し自在に付けている控え付き連番タグの切り離し前の状態を示す表面図である。
【図５】同じく、クリーニング用タグの一例で、控え部を切り離し自在に付けている控え付き群タグの切り離し前の状態を示す表面図である。
【図６】クリーニング用タグの一例で、番号付き様入りタグの切り離し前の状態を示す表面図である。
【図７】この発明の第２実施例で、タグ取付部をハンガー本体と別体に構成し、両者を結合するクリーニング用タグの首部背面取付けハンガーの全体側面図である。
【図８】同じく、ハンガー本体の部分側面図である。
【図９】同じく、ハンガー本体の部分背面図である。
【図１０】同じく、タグ取付部単体の側面図である。
【図１１】同じく、タグ取付部単体の正面図である。
【図１２】スカートハンガーには構成した第３実施例を示す斜視図である。
【図１３】従来のバーコードタグ取付部を設けたバーコードタグハンガーの正面図である。
【符号の説明】
１  第１実施例のクリーニング用タグの首部背面取付けハンガー
２  クリーニング用タグ
２ａ  控え付き連番タグ
２ａ１  控え部
２ａ２  本体片
２ａ３  店名番号
２ａ４  ロット番号
２ａ５  お客番号
２ｂ  控え付き群タグ
２ｂ１  控え部
２ｃ  番号付き様入りタグ
３  タグ取付部
４  首部
５  第２実施例のクリーニング用タグの首部背面取付けハンガー
５ａ  ハンガー本体
６  タグ取付部
６ａ  凹陥取付部
６ａ１  対応開口縁
６ａ２  対応開口縁
６ｂ  平坦面
６ｂ１  係合部
６ｂ２  係合部
７  首部
７ａ  取付面
７ｂ１  係合爪
７ｂ２  係合爪
８ａ  外止縁
８ｂ  外止縁
９  スカートハンガー
１０  タグ取付部
１１  バーコードタグハンガー
１２  バーコードタグ取付部
【図１】
2004236978.tif 000003
【図２】
2004236978.tif 000004
【図３】
2004236978.tif 000005
【図４】
2004236978.tif 000006
【図５】
2004236978.tif 000007
【図６】
2004236978.tif 000008
【図７】
2004236978.tif 000009
【図８】
2004236978.tif 000010
【図９】
2004236978.tif 000011
【図１０】
2004236978.tif 000012
【図１１】
2004236978.tif 000013
【図１２】
2004236978.tif 000014
【図１３】
2004236978.tif 000015